(57)【要約】      （修正有）【課題】物を干したり外したりする作業を簡便で容易に、且つ、迅速にし、煩わしさを軽減する小物干しハンガーを提供する。【解決手段】洗濯籠４に、関節部を有する縦軸６を設け、縦軸屈曲部７を介して小物干しハンガー１の支軸の凹部２に、着脱自在に掛ける事を特徴とする洗濯籠を吊るす小物干しハンガー。【選択図】図１
2009261871.tif 000002
【特許請求の範囲】
【請求項１】
洗濯籠に、関節部を有する縦軸を設け、縦軸を介して小物干しハンガーの支軸に、着脱自在に掛けることを特徴とする洗濯籠を吊るす小物干しハンガー。
【発明の詳細な説明】
【技術分野】
【０００１】  本発明は、小物干しハンガーで物を干す時、又、外す時の作業を容易に、且つ、迅速にするための洗濯籠を吊るす小物干しハンガーにに関するものである。
【背景技術】
【０００２】  従来、小物干しハンガーで物を干すとき、洗濯籠はハンガーとは別の位置に置いて、干す物を籠の中から持ち出し、ハンガーに付いている洗濯挟みに挟んで吊るす動作を繰り返して、時間がかかり面倒で煩わしかった。
【発明の開示】
【発明が解決しようとする課題】
【０００３】  そのために、次のような問題点があった。
籠の中から干す物を取り出し、一方の手で干す物を持ち、他方の手でハンガーの洗濯挟みに挟む動作を繰り返し、又、外すときも同様に、洗濯挟みから外して籠に入れる動作を繰り返し、その間、物を落下させないように注意が必要で、急いでいるときなどは非常に煩わしい。更に、この動作は必ず両手を使う操作であって、片手では絶対に不可能である。
本発明は以上の問題点を解決しようとするものである。
【課題を解決するための手段】
【０００４】  洗濯籠の内底面の中央部に縦軸を設け、その先端は屈曲部を形成する。そして、ハンガーの外周より洗濯籠の外周は大である。
以上を特徴とする洗濯籠を吊干す小物干しハンガーである。
【発明の効果】
【０００５】    本発明は、小物干しハンガーに洗濯籠を吊るすため、ハンガーと洗濯籠は一体の状態になり、干すとき、外すときの動作が簡便で迅速になる。
【発明を実施するための最良の形態】
【０００６】  以下、本発明の実施の形態を説明する。
（イ）小物干しハンガー（１）の支軸の中央部に、凹部（２）を形成する。
（ロ）、ハンガー（１）に、洗濯はさみの掛け部（３）を複数個設ける。従来から、洗濯挟みのほとんどは、製造時に穴は形成されていて、着脱自在に掛けられる。
（ハ）洗濯籠（４）の内底面の中央に、関節部（５）を有した縦軸（６）を設け、その先端は、ハンガーの（１）の凹部（２）に掛ける屈曲部（７）を形成する。
（ニ）縦軸（６）の関節部（５）を覆う長さの中空管（８）を、縦軸（６）に挿入する。中空管は、縦軸（６）に密着状であるが上下の移動可能で、関節部（５）を覆えば縦軸（６）は直立状に固定し、関節部（５）から移動させば縦軸（６）は倒せる。
（ホ）洗濯籠（４）の縁部の外周は、ハンガー（１）の外周より大である。
（ヘ）洗濯籠（４）の側面縁に、縦軸（６）を倒したときにはめる凹部（９）を形成し、縦軸をはめたとき固定する止め具（１０）を設ける。
本発明は、以上の構成によりなっている。
本発明を使用するときは、縦軸（６）の関節部（５）を中空管（８）で覆い、縦軸（６）を直立状に固定して干す物を入れ、ハンガー（１）の下に運び、縦軸（６）の屈曲部（７）をハンガー支軸の凹部（２）に掛ける。ハンガー（１）の掛部（３）に洗濯挟みを掛けている状態で干す時は、籠（４）から干す物を取り出し、両手の操作で挟み、片手で操作したい時は、洗濯籠（４）の中で干す物を洗濯挟みで挟んでから掛け部（３）に掛ける。干していた物を外すときは、挟みから外して洗濯籠（４）の中に全部落下させて、洗濯籠（４）を持って所定の場所に移動すればよい。そして、洗濯籠（４）を使っていないときは、縦軸（６）を倒して洗濯籠（４）の凹部（９）にはめて、止め具（１０）で固定して、当適なところに掛けておけば邪魔にならない。
以上の使用方法で、作業が容易で時間も短縮できる。更に、この小物干しハンガーは、片手だけの操作が可能であり、片手だけで生活している人は、人手を借りずに、自分で洗濯し、干すとき、外すとき、所定の場所に運ぶ動作も全部可能になる。
【図面の簡単な説明】
【０００７】
【図１】小物干しハンガーに吊るした洗濯籠の斜視図
【図２】縦軸の直立状と、倒した状態の正面図で、中空管は断面図
【図３】止め具の斜視図
【図４】使用していない洗濯籠を適当なところに掛けている洗濯籠の背面図
【符号の説明】
１、  小物干しハンガー
２、  支軸の凹部
３、  洗濯挟み掛け部
４、  洗濯籠
５、  関節部
６，  縦軸
７、  縦軸先端の屈曲部
８、  中空管
９、  籠の縁の凹部
１０、止め具
【図１】
2009261871.tif 000003
【図２】
2009261871.tif 000004
【図３】
2009261871.tif 000005
【図４】
2009261871.tif 000006
【手続補正書】
【提出日】平成21年6月20日(2009.6.20)
【手続補正１】
【補正対象書類名】特許請求の範囲
【補正対象項目名】全文
【補正方法】変更
【補正の内容】
【特許請求の範囲】
【請求項１】
洗濯籠に吊具を取り付け、吊具の先端に掛具を設け、籠を物干具に吊下げて、洗濯物を干す作業を簡便にすることを特徴とする吊下げる洗濯籠。
【手続補正２】
【補正対象書類名】明細書
【補正対象項目名】全文
【補正方法】変更
【補正の内容】
【発明の詳細な説明】
【技術分野】
【０００１】    本発明は、洗濯物を小物干しハンガーで干すとき、籠をハンガーに吊下げて、作業を簡便にする、吊下げる洗濯籠に関するものである。
【背景技術】
【０００２】  従来、洗濯物を干すとき、干す物を入れた籠は適当な場所に置くため、籠と物干具とは別の位置にあり、両間を反復動作をしながら干していた。
【発明の開示】
【発明を解決しようとする課題】
【０００３】  そのために、次のような問題点があった。  靴下などの小物は、小物干しハンガーに干すが、たいてい複数干す。籠とハンガー間の反復動作で干す作業は時間がかかり煩わしく、時には落下させる事もある。又、乾いて外す時は、洗濯物を把持して外さなければ落下する。多数で持ちきれない時は、途中で別の場所に置きながら外す、従って、多忙な時などは厄介で、特に、干している場所が屋外である場合は面倒で疲れる。  本案は以上の問題点を解決しようとするものである。
【課題を解決するための手段】
【０００４】  洗濯籠に適当な長さの吊具を取り付け、吊具の先端に掛具を設ける。そして、掛具を小物干しハンガーに掛け、籠を吊下げて使用する。吊具は脱着可能である。以上を特徴とする吊るす洗濯籠である。
【発明の効果】
【０００５】    本発明は、洗濯籠をハンガーに吊下げるため、両間の距離は近く、洗濯物を干すとき、外すときの動作は容易で簡便になり、煩わしさはない。
【発明を実施するための最良の形態】
【０００６】    以下、本考案の実施の形態を説明する。  （イ）洗濯籠（１）に適当な長さの吊具（２）を取り付ける。吊具（２）の先端に掛具（３）を設け、掛具（３）は小物干しハンガー（４）に掛けて籠（１）を吊る。  （ロ）吊具（２）は脱着可能である。本発明は以上のような構成である。本発明を使用するときは、吊具（２）の先端の掛具（３）を小物干しハンガー（４）に掛けて籠（１）を吊下げる。この結果、籠（１）はハンガー（４）の下方で間隔は近く、干したり外したりの作業は容易で簡便になる。そして、外すとき、落下させるだけで下方の籠（１）に入る。そして急ぐときは、両手が使えるので作業効率はよく、多数あっても煩わしくない。又、籠（１）に全部入れて一度に運べるので、干す場所が屋外であっても厄介でない。
【図面の簡単な説明】
【０００７】
【図１】本発明の斜視図
【図２】本発明の掛具の正面図
【図３】本発明の実施図
【符号の説明】１  洗濯籠２  吊具３  掛具４  ハンガー
【手続補正３】
【補正対象書類名】図面
【補正対象項目名】全図
【補正方法】変更
【補正の内容】
【図１】
2009261871.tif 000007
【図２】
2009261871.tif 000008
【図３】
2009261871.tif 000009